(57)【要約】【課題】狭小な作業スペースにおいても、管体への押輪の着脱をスムーズに行うこと。【解決手段】接続された一対の管体Ｐ１、Ｐ２のうち、一方の管体Ｐ２の端部外周に外嵌され、両管体Ｐ１、Ｐ２の間の隙間に設けられた水密部材Ｒを前記隙間に押し込む押輪本体５と、押輪本体５内に収納され一方の管体Ｐ２の外周面に接離自在に設けられた複数の爪部６と、複数の爪部６の前記外周面に臨む先端側とは反対側の外縁に、ループ状に架け渡された索条体１１と、前記ループを縮径させるように索条体１１を牽引する牽引部材１６と、を備えた押輪１を構成する。【選択図】図１
2016023692.tif 000002
【特許請求の範囲】
【請求項１】
接続された一対の管体（Ｐ１、Ｐ２）のうち、一方の管体（Ｐ２）の端部外周に外嵌され、両管体（Ｐ１、Ｐ２）の間の隙間に設けられた水密部材（Ｒ）を前記隙間に押し込む押輪本体（５）と、前記押輪本体（５）内に収納され前記一方の管体（Ｐ２）の外周面に接離自在に設けられた複数の爪部（６）と、前記複数の爪部（６）の前記外周面に臨む先端側とは反対側の外縁に、ループ状に架け渡された索条体（１１）と、前記ループを縮径させるように前記索条体（１１）を牽引する牽引部材（１６）と、を備えた押輪。
【請求項２】
前記爪部（６）の前記外周縁に沿って、前記索条体（１１）が前記外周縁から外れるのを防止する案内部材（１２）をさらに備えた請求項１に記載の押輪。
【請求項３】
前記ループ状とした前記索条体（１１）のループ角が３６０度である請求項１又は２に記載の押輪。
【請求項４】
前記ループ状とした前記索条体（１１）のループ角が３６０度を超えている請求項１又は２に記載の押輪。
【発明の詳細な説明】
【技術分野】
【０００１】
この発明は、水道管等のように地下に埋設される管体の接続箇所に用いられ、受け側管体と挿し側管体との間の隙間に設けられる水密部材をその隙間に押し込むとともに、両管体の抜け止めを図るための押輪に関する。
【背景技術】
【０００２】
地中に埋設される水道管等の管体の継手部分においては、受け側管体と挿し側管体との間の隙間に、ゴム輪等の水密部材を設け、この水密部材を前記隙間に押し込むことによって、両管体の間の水密を確保している。水密部材の押し込みには押輪が用いられる。この押輪を挿し側管体に設け、押輪に形成したボルト孔にボルトを設けるとともに、このボルトを受け側管体のフランジに形成したボルト孔に挿し込み、このボルトに設けたナットを締め付けることによって押輪が受け側管体に接近し、これに伴って水密部材が前記隙間に押し込まれる。
【０００３】
この押輪の一つとして、例えば特許文献１においては、押輪本体に、管体の外周面に食い込ませる複数の爪部を備えたタイプのもの（特殊押輪）が開示されている。この押輪は、一般的な押輪と同様に、押輪本体で受け側管体と挿し側管体との間の隙間に設けられた水密部材をその隙間に押し込み、この押し込み後に、前記複数の爪部にそれぞれ設けられたボルトを締め付けることによって、この爪部を管体（挿し側管体）の外周面に当接させる（食い込ませる）ように構成されている。このように、爪部を管体の外周面に当接させて両管体を固定することにより、両管体の間の抜け止め作用が発揮される。
【先行技術文献】
【特許文献】
【０００４】
【特許文献１】特開２００１−２００９６５号公報
【発明の概要】
【発明が解決しようとする課題】
【０００５】
特許文献１に係る構成においては、複数の爪部のそれぞれにボルトが設けられているため、作業の際にそのボルトのねじ込みに手間を要するという問題がある。また、複数のボルトを一つずつ別々にねじ込んでいくため、管体の外周面と爪部との当接力が爪部ごとに異なりやすく、抜け止め作用が低下する恐れがある。しかも、近年は交通事情や土木工事費削減のために、道路等の作業現場における掘削幅を狭くする傾向があり、管体の敷設やメンテナンスの作業の際に、管体の全周に亘ってボルトのねじ込みを行うための作業スペースを確保しづらいという問題もある。
【０００６】
そこで、この発明は、狭小な作業スペースにおいても、管体への押輪の着脱をスムーズに行うことを課題とする。
【課題を解決するための手段】
【０００７】
上記の課題を解決するため、この発明は、接続された一対の管体のうち、一方の管体の端部外周に外嵌され、両管体の間の隙間に設けられた水密部材を前記隙間に押し込む押輪本体と、前記押輪本体内に収納され前記一方の管体の外周面に接離自在に設けられた複数の爪部と、前記複数の爪部の前記外周面に臨む先端側とは反対側の外縁に、ループ状に架け渡された索条体と、前記ループを縮径させるように前記索条体を牽引する牽引部材と、を備えた押輪を構成した。
【０００８】
このように、複数の爪部に対し、索条体をループ状に架け渡して、この索条体を牽引することによって、全ての爪部をまとめて変位して管体外周面に当接させた状態とすることができる。このため、管体の外周面と各爪部との当接力が均等になり、高い抜け止め作用が発揮される。しかも、一つの牽引部材を操作するだけでよいため、作業スペースを確保しづらい狭小な掘削孔内においても、スムーズにその作業を行うことができる。
【０００９】
前記構成においては、前記爪部の前記外周縁に沿って、前記索条体が前記外周縁から外れるのを防止する案内部材をさらに備えた構成とすることができる。このように案内部材を設けて索条体が外れるのを防止することにより、索条体の牽引に伴って爪部の変位をスムーズに行うことができ、この押輪による管体同士の抜け止め作用が確実に発揮される。
【００１０】
前記各構成においては、前記ループ状とした前記索条体のループ角が３６０度である構成とすることができる。このように索条体で３６０度のループを構成することにより、牽引部材の操作によって、全ての爪部を管体の外周面に向けて均等に変位させることができ、この押輪による管体同士の抜け止め作用が一段と高まる。
【００１１】
上記のように索条体を３６０度のループとする代わりに、前記ループが３６０度を超えて形成されている構成とすることもできる。このように、巻き付け角度を３６０度よりも大きくすることにより、３６０度を超える領域において索条体が２重に架け渡されることになり、牽引部材による牽引操作に伴って、全ての爪部を管体の外周面に向けて均等に変位させることができるとともに、前記外周面への前記爪部の当接力が高まり、抜け止め作用の更なる向上を図ることができる。しかも、牽引部材と掘削壁との間に十分な作業スペースを確保しやすく、牽引部材の締め付け作業を一層容易に行うことができる。
【発明の効果】
【００１２】
この発明では、爪部に索条体をループ状に架け渡し、この索条体を牽引部材で牽引して索条体のループを縮径することによって、爪部を変位させる構成とした。このようにすることにより、この索条体に設けられた牽引部材の操作により、全ての爪部の変位をまとめて行うことができ作業効率が非常に高い。しかも、全ての爪部の変位が同時になされるため、外周面に対する各爪部の当接力がほぼ同じとなり、管体同士の確実な抜け止め作用が発揮される。しかも、この牽引部材を管体上部等のように作業を行いやすい位置に配置することにより、狭小な作業スペースにおいても、管体への押輪の着脱をスムーズに行うことができる。
【図面の簡単な説明】
【００１３】
【図１】本願発明に係る押輪の第一実施形態を示し、（ａ）は側面図、（ｂ）は正面から見た縦断面図
【図２】図１に示す押輪の分解斜視図
【図３】図１に示す押輪を用いた管体同士の接続手順を示す縦断面図であって、（ａ）は押輪によってゴム輪を押し込みつつある状態、（ｂ）は押輪によってゴム輪を押し込んだ状態、（ｃ）は牽引部材を操作して爪部を挿し側管体の外周面に当接させた状態
【図４】本願発明に係る押輪の第二実施形態を示し、（ａ）は側面図、（ｂ）は正面図
【図５】本願発明に係る押輪の第三実施形態を示し、（ａ）は正面図、（ｂ）は使用状態を示す正面図
【発明を実施するための形態】
【００１４】
本願発明に係る押輪１の第一実施形態を図１及び図２に示す。この押輪１は、接続する一対の管体（受け側管体Ｐ１、挿し側管体Ｐ２）のうち、挿し側管体Ｐ２の端部外周に外嵌される。この押輪１は、中央部に管体Ｐ２を挿通する挿通孔２と、径方向中程にボルト３（図３参照）を通すボルト孔４とが形成された押輪本体５を有する。この押輪本体５（５ａ、５ｂ）内には、挿通孔２に沿って９０度回転対称の位置に、扇状の４個の爪部６が設けられている。この爪部６の内周縁は、管体（挿し側管体Ｐ２）の外周面に当接可能な当接部７となっている。この爪部６の外周縁には、円弧状に溝部８が形成され、この爪部６の側面部には、押輪本体５内に形成された案内突起９に嵌る案内溝１０が形成されている。
【００１５】
各爪部６に形成された溝部８には、ループ状に一本の索条体１１が架け渡されている。各爪部６の溝部８には、円弧の方向に沿う通し孔が形成された案内部材１２が設けられている。この案内部材１２に索条体１１を通すことにより、索条体１１が溝部８から脱落しないようにしている。索条体１１の一端側は、押輪本体５に設けられた固定部材１３で固定されている。その一方で、索条体１１の他端側は、係止部材１４及びボールジョイント１５を介して、この索条体１１を牽引する牽引ボルト１６（牽引部材）に接続される。
【００１６】
牽引ボルト１６を軸周りの一方向に回転することにより、係止部材１４及びボールジョイント１５とともに、牽引ボルト１６は図１（ｂ）中に矢印で示した方向に移動し、この移動に伴って索条体１１の他端側が同じ方向に牽引される。牽引ボルト１６には、ナット１７がねじ込まれている。牽引ボルト１６を操作した上で、このナット１７を押輪本体５の外壁面に押し付けるように締め付けることにより、牽引ボルト１６が不用意に軸周りに回転するのを防止している。一方の押輪本体５（５ａ）の側面には、挿通孔２の外縁に沿って軸方向に起立する突条１８が形成されている。
【００１７】
牽引ボルト１６を軸周りに回転して索条体１１を牽引すると、この索条体１１からなるループが縮径し、索条体１１を架け渡した各爪部６はこの縮径に伴って挿通孔２側に変位する。そして、変位した各爪部６の当接部７が挿通孔２の周縁から内向きに突出して（図１（ｂ）中に想像線で示す当接部７を参照）、挿し側管体Ｐ２（図１（ｂ）では図示せず）の外周面に当接し、この押輪１による受け側管体Ｐ１からの挿し側管体Ｐ２の抜け止め作用が発揮される。上記のように、索条体１１の係止部材１４と牽引ボルト１６との間にボールジョイント１５を介在させることにより、牽引ボルト１６を軸周りに回転させた際に、索条体１１がねじれるのを防止している。
【００１８】
本願発明に係る押輪１で管体Ｐ１、Ｐ２同士を接続する工程について、図３を用いて説明する。まず、予め押輪１を取り付けた挿し側管体Ｐ２を受け側管体Ｐ１に挿し込み、両管体Ｐ１、Ｐ２の間の隙間（受け側管体Ｐ１の内周面と挿し側管体Ｐ２の外周面との間の隙間）に水密部材としてゴム輪Ｒを嵌め込み、受け側管体Ｐ１のフランジ部Ｆに形成されたボルト孔に、押輪１のボルト孔４に通したボルト３を取り付ける。そして、このゴム輪Ｒに、押輪本体５に形成した突条１８を当接させる（本図（ａ）参照）。次に、前記隙間にゴム輪Ｒが十分押し込まれるまでボルト３をねじ込む（本図（ｂ）参照）。
【００１９】
さらに、押輪１の牽引ボルト１６を軸周りの一方向（本図中の回転矢印参照）に回転し、索条体１１を本図の上方に牽引し（本図（ｃ）参照）、爪部６の外縁にループ状に架け渡された索条体１１を縮径する。この縮径に伴って、各爪部６が挿通孔２側に変位して、挿し側管体Ｐ２の外周面に当接した状態となる。このように、この外周面に爪部６が当接することにより、押輪１を介して受け側管体Ｐ１と挿し側管体Ｐ２が互いに拘束された状態となり、両管体Ｐ１、Ｐ２同士の抜け止め作用が発揮される。
【００２０】
各爪部６の変位は、押輪１に設けられた牽引ボルト１６の操作によって一度に行うことができる。このため、各爪部６による挿し側管体Ｐ２の外周面に対する各爪部６の当接力がほぼ同じとなり、管体Ｐ１、Ｐ２同士の抜け止め作用が確実に発揮される。しかも、牽引ボルト１６を挿し側管体Ｐ２上部等のように作業を行いやすい位置に配置することにより、狭小な作業スペースであってもスムーズに押輪１の着脱作業を行うことができる。
【００２１】
なお、各爪部６に、この爪部６を径方向外側に付勢する付勢部材を設けることにより、牽引ボルト１６を上記一方向とは逆方向の軸周りに回転したときに、各爪部６を挿し側管体２の外周面からスムーズに離間させることができる。また、上記のように、案内突起９と案内溝１０によって爪部６を所定方向に変位させる代わりに、他の案内機構によって爪部６を案内するように構成することもできる。
【００２２】
本願発明に係る押輪１の第二実施形態を図４に示す。この押輪１は、基本的な構成は第一実施形態に係る押輪１と同じであるが、第一実施形態に係る押輪１とは、挿通孔２の外縁に沿う突状１８が形成されていない点で異なる。この場合、押輪本体５（５ａ）の側面とゴム輪Ｒを直接当接させて、突状１８を形成したのと同様にゴム輪Ｒを押し込むことができる。
【００２３】
本願発明に係る押輪１の第三実施形態を図５に示す。この押輪１も、基本的な構成は第一及び第二実施形態に係る押輪１と同じであるが、第一及び第二実施形態に係る押輪１とは、索条体１１の爪部６への巻き付け角度が３６０度を超える点で異なる。このように、巻き付け角度を３６０度よりも大きくすることにより、３６０度を超える領域において索条体１１が２重に架け渡される。このため、牽引ボルト１６による牽引操作に伴って、全ての爪部６を挿し側管体Ｐ２の外周面に向けて均等に変位させることができるとともに、この外周面への爪部６の当接力が高まり、抜け止め作用の更なる向上を図ることができる。
【００２４】
しかも、牽引ボルト１６と掘削壁Ｗとの間に十分な作業スペースを確保することができるため（図５（ｂ）参照）、牽引ボルト１６の操作を一層容易に行うことができる。
【００２５】
上記の各実施形態において説明した押輪１はあくまでも一例であって、狭小な作業スペースにおいても、管体への押輪の着脱をスムーズに行う、という本願発明の課題を解決し得る限りにおいて、押輪１を構成する各部品の形状、配置等は適宜変更することができる。
【符号の説明】
【００２６】
１  押輪
２  挿通孔
３  ボルト
４  ボルト孔
５（５ａ、５ｂ）  押輪本体
６  爪部
７  当接部
８  溝部
９  案内突起
１０  案内溝
１１  索条体
１２  案内部材
１３  固定部材
１４  係止部材
１５  ボールジョイント
１６  牽引部材（牽引ボルト）
１７  ナット
１８  突条
Ｐ１  受け側管体
Ｐ２  挿し側管体
Ｒ  水密部材（ゴム輪）
【図１】
2016023692.tif 000003
【図２】
2016023692.tif 000004
【図３】
2016023692.tif 000005
【図４】
2016023692.tif 000006
【図５】
2016023692.tif 000007